(57)【要約】【課題】  ネジ固定せずに把手を木製扉の端面部に取り付けることを可能とする把手の取付構造を提供すること。【解決手段】  把手１の取付面部４に蟻溝７が設けられ、この蟻溝内に頭部を挿入して締付具が配置され、締付具のネジが切られた脚部が蟻溝から突出し、この突出した締付具の脚部に、内周部にネジが切られたダボがねじ込まれてダボが把手に固定され、木製扉の上下の端面部のいずれか一方または両方に形成されたダボ孔に、ダボが嵌め込まれ、把手が木製扉に取り付けられる。【選択図】図１
2006325806.tif 000002
【特許請求の範囲】
【請求項１】
把手の取付面部に蟻溝が設けられ、この蟻溝内に頭部を挿入して締付具が配置され、締付具のネジが切られた脚部が蟻溝から突出し、この突出した締付具の脚部に、内周部にネジが切られたダボがねじ込まれてダボが把手に固定され、木製扉の上下の端面部のいずれか一方または両方に形成されたダボ孔に、ダボが嵌め込まれ、把手が木製扉に取り付けられることを特徴とする把手の取付構造。
【請求項２】
蟻溝周辺の把手の取付面部にダボ固定用の切り込みが設けられている請求項１記載の把手の取付構造。
【請求項３】
ダボは、締付具の脚部の先端に向かってすぼむ形状を有し、外周面がテーパー状になっている請求項１または２記載の把手の取付構造。
【発明の詳細な説明】
【技術分野】
【０００１】
本願発明は、キャビネットの木製扉に押出材等から形成された把手を取り付けるための把手の取付構造に関する。
【背景技術】
【０００２】
家具や厨房装置などのキャビネットに設けられた木製扉には、開閉を容易とするために把手が設けられている。把手には様々なタイプのものが知られているが、たとえば、木製扉の上下いずれかまたは両方の端面部に固定されるものがある。図９は、その一例を示している（たとえば、特許文献１参照）。
【０００３】
把手９１は、断面略コ字型の形状を有する本体９２と本体９２から外側に向かって延出する脚９３とを備えている。本体９２には、正面側に、背側に対向して手掛かり部９４が設けられている。
【０００４】
このような把手９１を木製扉９５に取り付ける際には、木製扉９５の端面部に縦方向に形成された溝９６に脚９３を差し込み、本体９２の取付面部９７を木製扉９５の端面に当接配置し、ドリルネジ９８を、木製扉９５の裏面側から表面側に向かって脚９３を貫通するようにねじ込む。このようにしてねじ込まれるドリルネジ９８によって、把手９１は木製扉９５の端面部に固定される。
【特許文献１】特開２００３−１３６３２号公報
【発明の開示】
【発明が解決しようとする課題】
【０００５】
上記の通り、把手９１の取り付けにはドリルネジ９８を必要としているため、ドリルネジ９８のねじ込みは、木製扉９５の横方向に複数箇所で行わなければならず、把手９１の取付作業は煩わしいものとなっている。また、ドリルネジ９８の頭部は木製扉９５の裏面に位置するため、木製扉９５を開けた時にドリルネジ９８の頭部が露出する。この露出は外観上好ましいものではない。
【０００６】
本願発明は、このような事情に鑑みてなされたものであり、ネジ固定せずに把手を木製扉の端面部に取り付けることを可能とする把手の取付構造を提供することを課題としている。
【課題を解決するための手段】
【０００７】
本願発明は、上記の課題を解決するために、第１には、把手の取付面部に蟻溝が設けられ、この蟻溝内に頭部を挿入して締付具が配置され、締付具のネジが切られた脚部が蟻溝から突出し、この突出した締付具の脚部に、内周部にネジが切られたダボがねじ込まれてダボが把手に固定され、木製扉の上下の端面部のいずれか一方または両方に形成されたダボ孔に、ダボが嵌め込まれ、把手が木製扉に取り付けられることを特徴としている。
【０００８】
本願発明は、第２には、蟻溝周辺の把手の取付面部にダボ固定用の切り込みが設けられていることを特徴としている。
【０００９】
本願発明は、第３には、ダボは、締付具の脚部の先端に向かってすぼむ形状を有し、外周面がテーパー状になっていることを特徴としている。
【発明の効果】
【００１０】
本願の第１の発明によれば、ダボ孔へのダボの嵌め込みによって、把手が木製扉の端面部に取り付けられる。ネジ固定が解消され、把手の取付作業が容易となる。また、ダボはダボ孔に埋設されるため、表に露出せず、外観が良好となる。
【００１１】
本願の第２の発明によれば、把手へのダボの固定が安定化し、確実にダボを把手に固定することができる。
【００１２】
本願の第３の発明によれば、ダボ孔へのダボの嵌め込みが容易となる。
【発明を実施するための最良の形態】
【００１３】
図１〜図４は、本願発明の把手の取付構造の一実施形態について示した要部斜視図、断面図および要部断面図である。
【００１４】
本実施形態では、把手１は、断面略Ｌ字型の形状を有する本体２を備えている。本体２は、背板部３と取付面部４を有し、取付面部４は、背板部３の一端において略直角に交わっている。本体２の正面側には、背板部３に対向して配置された手掛かり部５が設けられている。手掛かり部５は、手指が掛かるようにしたものであり、取付面部４の正面側の端部から延出している。また、本体２の正面側には、木製扉の正面に当接する位置決め部６が設けられ、位置決め部６は、手掛かり部５とは反対側に取付面部４の正面側の端部から延出している。そして、取付面部４には、断面Ｔ字型の形状を有する蟻溝７が設けられている。蟻溝７は、取付面部４の側端および裏面で開口している。このような把手１は、たとえば、アルミニウム等の金属、プラスチック等の適宜な素材の押出材から一体的に形成することができる。
【００１５】
また、本実施形態では、図２に示したように、把手１の本体２が有する取付面部４に設けられた蟻溝７内に頭部８を挿入して締付具９が配置される。締付具９は、ビス等とすることができ、脚部１０はネジが切られている。ネジの切られた脚部１０は、蟻溝７から外側に突出する。このような締付具９の配置は、図１に示した取付面部４の側端において開口する蟻溝７に頭部８を挿入し、蟻溝７に沿って締付具９を横方向に移動させることによって可能となる。
【００１６】
さらに、本実施形態では、図３に示したように、蟻溝７から外側に突出する締付具９の脚部１０にダボ１１がねじ込まれる。ダボ１１は円柱状の形状を有し、内周部に締付具９の脚部１０と螺合するネジが切られている。ねじ込みによってダボ１１は把手１に固定される。
【００１７】
そして、本実施形態では、図４に示したように、木製扉１２の上下の端面部のいずれか一方または両方にダボ孔１３が形成されている。ダボ孔１３は、木製扉１２の縦方向にくりぬかれ、ダボ１１の嵌め込みを可能としている。ダボ１１をダボ孔１３に嵌め込むことによって把手１と木製扉１２は結合し、図５に示したように、取付面部４が端面に当接配置され、把手１が木製扉１２の端面部に固定される。把手１の位置決め部６が木製扉１２の正面に当接し、把手１の位置が決められる。なお、把手１の側端では、蟻溝７が露出することのないように、蟻溝７の大きさおよび形状に略一致する断面Ｔ字型の形状を有するスペーサー１４を嵌め込むことができる。
【００１８】
このように、本実施形態では、従来のドリルネジ９８を用いず、ダボ１１によって把手１を木製扉１２の端面部に固定するので、把手１の取付作業に際しては、ダボ１１をダボ孔１３に嵌め込むという作業ですみ、把手１の取付作業が容易となっている。把手１へのダボ１１の固定は、把手１に配置された締付具９にダボ１１をねじ込むだけでよく、ダボ１１の固定作業も容易となっている。また、ダボ１１は、ダボ孔１３に埋設されるので、木製扉１２を開けても表に露出することはなく、外観が良好となっている。
【００１９】
把手１の取付作業は、たとえば以下のようにして行うことができる。
【００２０】
まず、図２に示したように、把手１の側端の蟻溝７に頭部８を挿入し、締付具９を蟻溝７に沿って横方向にスライドさせ、所定位置に配置する。次いで、図３に示したように、ダボ１１を蟻溝７から外側に突出する締付具９の脚部１０にねじ込み、ダボ１１を把手１に固定する。好ましくは、締付具９の頭部８を蟻溝７に挿入する前に、ダボ１１を締付具９とある程度結合させ、この状態において、締付具９の頭部８を蟻溝７に挿入し、所定位置に配置した後、さらにねじ込んでダボ１１を把手１に固定する。そして、ダボ１１を、図４に示したように、木製扉１２の端面部に形成されたダボ孔１３に嵌め込み、把手１を木製扉１２の端面部に結合させ、固定する。この後、把手１の側端で開口する蟻溝７に、図５に示したようなスペーサー１４を嵌め込む。
【００２１】
本願発明では、たとえば図６に示したように、把手１において、蟻溝７の周辺の取付面部４に切り込み１５を設けることができる。切り込み１５は、ダボ１１の固定用の部位である。ダボ１１を締付具９に結合させ、把手１に固定する時に、ダボ１１の端部を切り込み１５内に挿入することができ、把手１へのダボ１１の固定が安定化する。ダボ１１は確実に把手１に固定される。
【００２２】
また、図７に示したように、ダボ１１については、締付具９の脚部１０の先端に向かってすぼむ形状とし、外周面をテーパー状にすることができる。この場合、ダボ孔１３へのダボ１１の挿入が容易となる。
【００２３】
なお、本願発明では、把手１の形状については、上記実施形態に限定されることはなく、たとえば図８に示したように、手指を挿入するための凹部１６が湾曲面状に形成された本体２を有し、凹部１６に沿って手掛かり部５が本体２と一体的に設けられたもの等とすることができる。蟻溝７が設けられる取付面部４を備えているものであればどのような形状の把手１であっても、本願発明の把手の取付構造は適用可能である。
【図面の簡単な説明】
【００２４】
【図１】本願発明の把手の取付構造の一実施形態について示した要部斜視図である。
【図２】本願発明の把手の取付構造の一実施形態について示した断面図である。
【図３】本願発明の把手の取付構造の一実施形態について示した断面図である。
【図４】本願発明の把手の取付構造の一実施形態について示した要部断面図である。
【図５】図１〜図４に示した把手の取付構造により結合された把手と木製扉を示した要部斜視図である。
【図６】本願発明の把手の取付構造の別の形態を示した要部断面図である。
【図７】本願発明の把手の取付構造の別の形態を示した要部断面図である。
【図８】本願発明の把手の取付構造を採用することのできる把手の別の形態を木製扉とともに示した要部斜視図である。
【図９】従来の把手の取付構造を示した要部斜視図である。
【符号の説明】
【００２５】
１    把手
２    本体
３    背板部
４    取付面部
５    手掛かり部
６    位置決め部
７    蟻溝
８    頭部
９    締付具
１０    脚部
１１    ダボ
１２    木製扉
１３    ダボ孔
１４    スペーサー
１５    切り込み
１６    凹部
【図１】
2006325806.tif 000003
【図２】
2006325806.tif 000004
【図３】
2006325806.tif 000005
【図４】
2006325806.tif 000006
【図５】
2006325806.tif 000007
【図６】
2006325806.tif 000008
【図７】
2006325806.tif 000009
【図８】
2006325806.tif 000010
【図９】
2006325806.tif 000011